(57)【要約】      （修正有）【課題】作業者の腰ベルトに安定して取りつけ出来、かつ取り外しも容易な充電式インパクトドライバー吊り下げ装置を提供する。【解決手段】充電式インパクトドライバ本体２０に、使用に邪魔にならない大きさの、バネの力によって閉じられるバネ付き開閉部１ａを持つカラビナ１を、取り付け金具を使用して最適な場所に取り付ける。腰ベルト側には、Ｄ型環ベルト取り付け金具１２に、Ｄ型環ベルト取り付け金具と並行に、ベルトと隙間を開けてＤ型環１１を取り付けた、ベルト取り付け金具付きＤ型環１３を取り付けて使用する。【選択図】図２
0003177882.tif 000002
【実用新案登録請求の範囲】
【請求項１】
バネの力によって閉じられる開閉部を持つカラビナと、そのカラビナに合った大きさと形の環状の金物との組み合わせにより使用可能となり、カラビナや環状金物に触れる事なく容易に掛け止めたり、取り外したり出来る吊り下げ装置。
【考案の詳細な説明】
【技術分野】
【０００１】
本考案は,作業者が携帯する工具である、充電式インパクトドライバを腰ベルトに吊り下げる装置に関する物である。
【背景技術】
【０００２】
充電式インパクトドライバー本体にU型のフック型金具を取り付けて、腰ベルトにU型のフックを引っ掛けて使用するタイプがあるが、体の動きによっては落下せせることがあり、また他の金具を取り付ける方法もあるが充電式インパクトドライバーを落下させないことだけを考えられええていて、頻繁に使用する充電式インパクトドライバーを腰に吊り下げた状態から取り外して使用する際のことは考えられていない。
【先行技術文献】
【特許文献】
【０００３】
【特許文献１】特開平11−129170
【特許文献２】特開2009−269153
【特許文献３】特開2006−326753
【特許文献４】特開2001−162566
【非特許文献】
【０００４】
【非特許文献１】「株式会社マキタ  総合カタログ2011−10」  マキタ2011−10  （株）マキタ  ２０１１−１０  Ｐ．１６  ＴＤ133ＤＲＦＸ標準装備品
【非特許文献２】「株式会社マキタ  総合カタログ２０１１−１０」（株）マキタ  ２０１１−１０  Ｐ．２６部品番号Ａ−５１２９７
【非特許文献３】「日立工機  電動工具総合カタログ２０１１−１０」日立工機2011−10  Ｐ．１４  ＷＨ１４ＤＢＡＬ2標準装備品
【非特許文献４】「日立工機  電動工具総合カタログ2011−10」日立工機2011−10  Ｐ．20部品コード0030−7780
【考案の概要】
【考案が解決しようとする課題】
【０００５】
充電式インパクトドライバは、持って移動することが多く、特に高所へ上がるには充電式ドリルドライバは腰に取り付けていれば両手が使えて安全であり便利である。然し落下させない工夫と共に使用する際の取り外し方も考えられていなければいけない。しかも軽量であり、使用に邪魔にならない小さなものである必要がある。
【課題を解決するための手段】
【０００６】
これからの説明、図面は、右利きの人が充電式インパクトドライバ20を右手で持ち、腰ベルトで体の右側に１３のベルト取り付け金具付きＤ型環を装着し、充電式インパクトドライバを体の右に吊り下げるときの説明になります。
【０００７】
図の6は、充電式インパクトドライバ取り付け金具付きカラビナであり、13はベルト取り付け金具付きＤ型環である。金具に取り付けられたカラビナとＤ型環の大きさと形の組み合わせで使用可能となる、充電式インパクトドライバ取り付け金具付きカラビナ６とベルト取り付け金具付きＤ型環13とで1組となる吊り下げ装置です。
【０００８】
充電式インパクトドライバ本体２０には、使用に邪魔にならない大きさの、バネの力によって閉じられるバネ付き開閉部1ａを持つカラビナ1を、充電式インパクトドライバ本体20の左側の最適な場所に取り付け。腰ベルトには、ベルト取り付け金具12にベルトと隙間を開けてカラビナ１と大きさの合ったＤ型の環１１を取り付けた、ベルト取り付け金具付きＤ型環１３を取り付けます。
【０００９】
充電式インパクトドライバ本体取り付け金具2は、（株）マキタ製品ＴＤ１３３ＤＲＦＸのＵ型の金具取り付け部を利用して取り付けられるようにしたものです。
【００１０】
充電式インパクトドライバ本体20には、使用に邪魔にならない大きさの、バネの力によって閉じられるバネ付き開閉部1ａを持つカラビナ1を、取り付け金具を使用して充電式インパクトドライバ本体20の左側の最適な場所に取り付け。腰ベルト側には、Ｄ型環ベルト取り付け金具12にＤ型環ベルト取り付け金具と並行に、ベルトと隙間を開けてＤ型環11を取り付けた、ベルト取り付け金具付きＤ型環13を取り付けます。以上が装置の概容です。以下は操作方法になります。
【００１１】
充電式インパクトドライバ本体20を、腰ベルトのベルト取り付け金具付きＤ型環13に掛け止めるときは、図7のように充電式インパクトドライバ本体20に取り付けられたカラビナ1のバネ付き開閉部1ａをＤ環11と90度の角度で交差するようにして、図8のようにＤ型環11の前方の辺（図7において上方）にカラビナ1のバネ付き開閉部1ａを押し付けて開き、前方（図８において上方）にスライドさせると図9のようにバネの力で開閉部1ａを閉じ、充電式インパクトドライバから手を放しても、図2のように腰ベルトに取り付けられたベルト取り付け金具付きＤ型環13に掛け止められた状態に出来ます。
【００１２】
取り外すときは、充電式インパクトドライバ取り付け金具付きカラビナ6を取り付けた充電式インパクトドライバ本体20の握り部21を持って、充電式インパクトドライバ本体20に取り付けられたカラビナ1を、図10のようにＤ型環11に掛け止められた状態のカラビナ1のバネ付き開閉部1ａをＤ型環11と９０度の角度で交差するようにし、Ｄ型環11の内径15より外側（図１０において右側）に突き出して、充電式インパクトドライバ本体20を掛け止めたときのＤ型環11の辺と相対する辺（図10において下方）に図11のようにバネ付き開閉部1ａを押し付けて開き、前方（図１１において上方）にスライドさせると図12のようにバネの力で開閉部1ａを閉じ、カラビナ1はＤ型環11から取り外された状態（図13）になります。
【００１３】
上記の図面による説明は、右利きの人が使用するのを想定した説明ですが、左利きの人が使用するには、腰ベルトで体の左側にベルト取り付け金具付きＤ型環１３を取り付け、充電式インパクトドライバ本体の右側に充電式インパクトドライバ本体取り付け金具付きカラビナ7を取り付け、説明と同じ操作を行えば同じ効果が得られます。
【００１４】
充電式インパクトドライバ本体に取り付けたカラビナと、腰ベルトに取り付けるＤ型環は、逆に充電式インパクトドライバ本体にＤ型環を取り付け、腰ベルト側にカラビナを取り付けても同じ操作の仕方で同じ効果が得られるが、腰ベルト側にカラビナを取り付けると、体の動きによっては充電式インパクトドライバ本体に取り付けたＤ型環がカラビナのバネ付き開閉部に掛ることがある。充電式インパクトドライバ本体は重量があるのでカラビナのバネ付き開閉部に掛ると、重量でカラビナのバネ付き開閉部を押し開く可能性があり落下させるおそれがあるので、充電式インパクトドライバ本体側にカラビナを付け、腰ベルト側にＤ型環を取り付けました。
【００１５】
カラビナを取り付ける本体取り付け金具を工夫すれば他の携帯工具にも利用可能になるし、カラビナとＤ型環の大きさを、互いに小さくすれば小さな携帯工具等にも利用でき、軽量な携帯工具等なら、腰ベルト側にカラビナ、携帯工具側にＤ型環の組み合わせも良いと思います。
【考案の効果】
【００１６】
本考案の、カラビナとＤ型環の大きさの関係で使用可能な充電式インパクトドライバー吊り下げ装置は、腰ベルトに取り付けた金具付きＤ型環に掛け止めた充電式インパクトドライバーをどんな動きでも落下させないことはもちろん、腰ベルトに取り付けられた金具付きＤ型環から取り外すときも、充電式インパクトドライバーの握り部を持った手の操作によって容易に取り外すことができ、カラビナやＤ型の環部に触れることなく充電式インパクトドライバーを腰ベルトに掛け止めたり取り外したりできるので、移動の際にも使用時にも便利である。
【図面の簡単な説明】
【００１７】
【図１】腰ベルトに取り付けたＤ型環に、充電式インパクトドライバを掛け止めたときの図。
【図２】（株）マキタ製品ＴＤ１３３ＤＲＦＸのＵ型金具取り付け部を利用して図３の充電式インパクトドライバ取り付け金具を取り付けた図です。
【図３】充電式インパクトドライバ本体取り付け金具付きカラビナ。（カラビナがカラビナ折りたたみ防止用切欠き部に挿入された状態）
【図４】カラビナが折りたたまれた状態の図。
【図５】ベルト取り付け金具付きＤ型の環。
【図６】Ｄ型の環の大きさとカラビナの大きさの関係を示す図。
【図７】Ｄ型の環にカラビナを掛け止め始めの図。(充電式インパクトドライバ本体の図は省略しています。）
【図８】Ｄ型の環にカラビナを掛け止める途中図。（充電式インパクトドライバ本体の図は省略しています。）
【図９】Ｄ型の環にカラビナを掛け止め終わった図。（充電式インパクトドライバ本体の図は省略しています。）
【図１０】Ｄ型の環からカラビナを外し始めの図。（充電式インパクトドライバ本体の図は省略しています。）
【図１１】Ｄ型の環からカラビナを外す途中図。（充電式インパクトドライバ本体の図は省略しています。）
【図１２】Ｄ型の環カラビナを外した図。（充電式インパクトドライバ本体の図は省略しています。）
【図１３】カラビナがＤ型の環から取り外された図。（充電式インパクトドライバ本体の図は省略しています。）
【考案を実施するための形態】
【００１８】
実施の形態を図面に基づいて説明します。この例は、（株）マキタ製ＴＤ133ＤＲＦＸのＵ型のフック取り付け部を利用して取り付けられるようにしたものです。
【００１９】
6は、充電式インパクトドライバ本体本体取り付け金具付きカラビナであり、13はベルト取り付け金具付きＤ型環である。金具に取り付けられたカラビナとＤ型環の大きさと形の組み合わせで使用可能となる、充電式インパクトドライバ本体取り付け金具付きカラビナ6とベルト取り付け金具付きＤ型環13とで1組となる吊り下げ装置です。
【００２０】
カラビナとＤ型環の大きさの関係は、Ｄ型環の太さＦは、カラビナの開口部寸法Ｅ以内でなければならない。Ｄ型環のＬ寸法は、カラビナのＨ寸法以上が最適であり（Ｇ寸法以下ではいけない）Ｍ寸法はカラビナのＩ寸法以下でなければならない。Ｄ型環のＫ寸法は邪魔にならない使用し易い長さでよい。カラビナの内部空間Ｊは、Ｄ型環の太さＦ以上でなければならない。
【００２１】
1のカラビナ３・４の鞍型押え金具は、軽量化のためアルミ材を使用して、3・4の鞍型押え金具は、1のカラビナがスライド及び左右に回転可能な形に成形し、4の鞍型押え金具には、上部にカラビナの太さに合わせて切欠きを入れ、切欠き部にカラビナが挿入されたときに図3のようにカラビナが2の充電式インパクトドライバ本体取り付け金具と90度の角度に保たれるようにする。
【００２２】
3と4の鞍型押え金具は、2の充電式インパクトドライバ本体取り付け金具に、1のカラビナが4の鞍型押え金具の切欠き部に挿入されたとき23のスナップピン穴が3の鞍型押え金具より外側（図3において下）に見える状態に、1のカラビナをスライドさせて（図3において上方）4の鞍型押え金具の切欠き部より解放された状態（図4）になる間隔で溶着する。
【００２３】
5のカラビナスライド止めスナップピンは、図3のようにカラビナ1が4のカラビナ折りたたみ防止用切欠き付き鞍型押え金具の切欠き部に挿入されたとき3のカラビナ取り付け鞍型押え金具の外側に見えるスナップピン穴に入れてカラビナがスライドするのを止めます。
【００２４】
2の充電式インパクトドライバ本体取り付け金具には、7の充電式インパクトドライバ本体取り付けボルト穴を（株）マキタ製ＴＤ133ＤＲＦＸに合わせ（株）マキタ製ＴＤ133ＤＲＦＸの左右どちらにも取り付けられるように細長く開ける。
【００２５】
23のスナップピン穴は、図3のようにカラビナ1が4のカラビナ折りたたみ防止用切欠き部に挿入されたとき3の鞍型押え金具の外側（図3において下方）に開け、カラビナ1のスナップピン穴23にスナップピン5を挿入したときカラビナ1がスライドしない位置にカラビナ1に穴を開けます。
【００２６】
11のＤ型環は、1のカラビナに合った大きさのステンレス材で製作。
【００２７】
12のＤ型環ベルト取り付け金具は、ステンレス材で図5のように、Ｌ型金物の長辺に腰ベルト通し穴を複数あけ、Ｌ型金物の短辺は腰ベルトからＤ型環が適度な隙間を保てる長さにして製作。
【００２８】
13のベルト取り付け金具付きＤ型環は、12のＤ型環ベルト取り付け金具の短辺の端に12のＤ型環ベルト取り付け金具と並行にして平行にＤ型環のＡ辺を接合して製作。
【実施例】
【００２９】
この例は、（株）マキタ製ＴＤ133ＤＲＦＸのＵ型の金具取り付けぶを利用して取り付けられるようにしたものです。また、説明・図面共に右利きの人が充電式インパクトドライバ20を右手で持ち、腰ベルトで体の右に13のベルト取り付け金具付きＤ型環を装着し、充電式インパクトドライバを体の右側に吊り下げるときの説明になります。以下図面に基づいて説明いたします。
【００３０】
カラビナ1は、全長50ミリ太さ5ミリのアルミ製を使用して、カラビナ1のバネ付き開閉部に相対する辺のカラビナ1の下限より約10ミリの所にスナップピン穴をあける。
【００３１】
充電式インパクトドライバ本体取り付け金具2は、（株）マキタ製ＴＤ133ＤＲＦＸのＵ型金具取り付け部を利用して左右どちらにも取り付けられるように細長くボルト取り付け穴（５ミリ×８．５ミリ）を設けたアルミ製で厚さ１．５ミリのものである。
【００３２】
鞍型押え金具3は、厚さ１．５ミリ幅１０ミリのアルミ製で、太さ5ミリのカラビナ1がスライド及び左右に回転可能な形に製作して、カラビナ折りたたみ防止用切欠き鞍型金具4は、3の鞍型押え金具と同じく厚さ1.5ミリ幅10ミリのアルミ製で鞍型の上部にカラビナ1の太さと同じ5ミリの切欠きをつけ、カラビナ1が挿入できるように製作。
【００３３】
カラビナ取り付け鞍型押え金具3とカラビナ折りたたみ防止用切欠き付き鞍型金具4は、カラビナ1のバネ付き開閉部に相対する辺を押さえて充電式インパクトドライバ本体取り付け金具2に接合するが、カラビナ取り付け鞍型押え金具3は、充電式インパクトドライバ本体取り付け金具の端（図3において下方）に取り付け、カラビナ折りたたみ防止用切欠き鞍型押え金具4は、カラビナ取り付け鞍型押え金具3の図3において上方に、切欠き部を外側（図3において上方）にして、間隔はカラビナ1がカラビナ折りたたみ防止用切欠き付き鞍型押え金具4の切欠き部に挿入されたときに、スナップピン穴23がカラビナ取り付け鞍型押え金具3の外側（図3において下方）に見える状態の位置に取り付ける。
【００３４】
Ｄ型環は、ステンレス材で太さ5ミリの物で、幅（Ｌ寸法）は25ミリ、長さ（Ｋ寸法）が50ミリでＡ辺は直線で、相対する辺はＵ型のように丸みをつけて製作。
【００３５】
Ｄ型環ベルト取り付け金具12は、ステンレス材で厚さ１．６ミリ、幅25ミリの物を使用してＬ型に加工し、長い辺は50ミリの腰ベルトを使用すると想定して長さを65ミリとし、長さ55ミリ幅5ミリの腰ベルト通し穴を2個開けて、短い辺は長さ25ミリにして端にＬ型の長い辺と並行にして平行にＤ型環11を接合して図5のように製作します。
【００３６】
以下は操作方法になります。説明・図面共に、右利きの人が充電式インパクトドライバ20を右手で持ち、腰ベルトで体の右側にベルト取り付け金具付きＤ型環13を装着したときの説明になります。
【００３７】
充電式インパクトドライバ本体20を腰ベルトのベルト取り付け金具付きＤ型環１３に掛け止めるときは、図7のように充電式インパクトドライバ本体20に取り付けられたカラビナ1のバネ付き開閉部1ａをＤ型環11と90度の角度で交差するようにして、ず8のようにＤ型環11の前の辺（図7において上方）にカラビナ1のバネ付き開閉部1ａを押し付けて開き、前方（図8において上方）にスライドさせると図9のようにバネの力で開閉部1ａを閉じ、充電式インパクトドライバ本体20から手を放しても図2のように腰ベルトに取り付けられたベルト取り付け金具付きＤ型環13に掛け止められた状態になります。
【００３８】
充電式インパクトドライバ本体20をベルト取り付け金具付きＤ型環13から取り外すときは、充電式インパクトドライバ本体取り付け金具付きカラビナ6を取り付けた充電式インパクトドライバ本体20の握り部21を持って、充電式インパクトドライバ本体20に取り付けられたカラビナ1を、図10のようにＤ型環11に掛け止められた状態のカラビナ1のバネ付き開閉部1ａをＤ型環11と90度の角度で交差するようにしＤ型環11の内径15より外側（図10において右側）に突き出して、充電式インパクトドライバ本体20を掛け止めたときのＤ型環11の辺と相対する辺（図10において下方）に図11のようにバネ付き開閉部1ａを押し付けて開き、前方（図11において上方）にスライドさせると図12のようにバネの力で開閉部1ａを閉じ、カラビナ1はＤ型環11から取り外された状態（図13）になります。
【産業上の利用可能性】
【００３９】
充電式インパクトドライバは、使用頻度が高く持って移動することも多いので充電式インパクトドライバを腰ベルトに吊り下げていても落下させる心配がなく、使用時に容易に取り外して使用出来る装置は、充電式インパクトドライバでの仕事がはかどるでしょう。
【符号の説明】
【００４０】
1    カラビナ。  
【００４１】
1ａ    カラビナのバネ付き開閉部。
【００４２】
2    充電式インパクトドライバ本体取り付け金具。
【００４３】
3    カラビナ取り付け鞍型押え金具。
【００４４】
４    カラビナ折りたたみ防止用切欠き付き鞍型押え金具。
【００４５】
5    カラビナスライド止めスナップピン。
【００４６】
6    充電式インパクトドライバ本体取り付け金具付きカラビナ。
【００４７】
7    充電式インパクトドライバ本体取り付け金具取り付けボルト穴。
【００４８】
8    取り付けボルト。
【００４９】
11    Ｄ型環。
【００５０】
12    Ｄ型環ベルト取り付け金具。
【００５１】
13    ベルト取り付け金具付きＤ型環。
【００５２】
14    腰ベルト通し穴。
【００５３】
20  充電式インパクトドライバ本体。
【００５４】
21    充電式インパクトドライバの握り部。
【００５５】
22    腰ベルト。
【００５６】
23    スナップピン穴。
【００５７】
Ａ    ベルト取り付け金具との接合辺。
【００５８】
Ｂ    カラビナのバネ付き開閉部支点側の最深部。
【００５９】
Ｃ    カラビナのバネ付き開閉部の支点に最も近い開口部。
【００６０】
Ｄ    カラビナのバネ付き開閉部の支点から最も遠い開口部。
【００６１】
Ｅ    カラビナの開口部の最高開口寸法。
【００６２】
Ｆ    Ｄ型環の太さ。
【００６３】
Ｇ    カラビナの太さ。
【００６４】
Ｈ    ＢとＣの距離。
【００６５】
Ｉ    ＢとＤの距離。
【００６６】
Ｊ    カラビナ開口部側の内部空間。
【００６７】
Ｋ    Ｄ型環の辺の長さ（図5において上下の長さ）
【００６８】
Ｌ    Ｄ型環の辺の幅（図5において左右の長さ）
【００６９】
Ｍ    Ｄ型環の一辺の外から相対する辺の内側までの幅。（図5において左右）
【００７０】
Ｎ    ベルト取り付け金具付きＤ型環の断面図。
【図１】
0003177882.tif 000003
【図２】
0003177882.tif 000004
【図３】
0003177882.tif 000005
【図４】
0003177882.tif 000006
【図５】
0003177882.tif 000007
【図６】
0003177882.tif 000008
【図７】
0003177882.tif 000009
【図８】
0003177882.tif 000010
【図９】
0003177882.tif 000011
【図１０】
0003177882.tif 000012
【図１１】
0003177882.tif 000013
【図１２】
0003177882.tif 000014
【図１３】
0003177882.tif 000015